(57)【要約】【課題】ユーザが、作業デスク上に作業台を載置させた状態で座り姿勢をとったときに、作業デスク上で効率よく作業することのできる作業台およびそれを備えるデスクシステムを提供すること。【解決手段】  作業台１は、椅子６０に着座した座り姿勢で前方から作業するための作業デスク５０に対して載置可能であり、椅子６０に着座せず起立した立ち姿勢で前方から作業するための作業台１であって、前後方向および左右方向に延びる天板３と、作業デスク５０の上面に配置され、上下方向に延び、天板３を支持する４つの脚部４とを備える。天板３は、天板３の前端縁から、後方に向かって凹む凹部７を有する。【選択図】図１
2018015317.tif 000002
【特許請求の範囲】
【請求項１】
椅子に着座した座り姿勢で上下方向と交差する第１方向の一方側から作業するための作業デスクに対して載置可能であり、前記椅子に着座せず起立した立ち姿勢で前記第１方向の一方側から作業するための作業台であって、
前記第１方向と、上下方向および前記第１方向の両方と交差する第２方向とに延びる天板と、
上下方向に延びる複数の脚部であって、前記作業デスクの上面に配置され、前記天板を支持する複数の脚部とを備え、
前記天板は、前記第１方向の一方側の端縁から、前記第１方向の他方側に向かって凹む凹部を有する
ことを特徴とする、作業台。
【請求項２】
前記凹部の縁部は、上端から下端に向かうにつれて、前記凹部から離れる方向に傾斜していることを特徴とする、請求項１に記載の作業台。
【請求項３】
前記天板の前記第１方向の一方側の端縁において、前記凹部の前記第２方向の寸法は、前記天板の前記第２方向の寸法１００％に対して、５０％から７０％であることを特徴とする、請求項１または２に記載の作業台。
【請求項４】
前記凹部の面積は、前記天板の面積１００％に対して、５％から１０％であることを特徴とする、請求項１〜３のいずれか一項に記載の作業台。
【請求項５】
前記凹部は、上下方向から見て、略円弧形状を有することを特徴とする、請求項１〜４のいずれか一項に記載の作業台。
【請求項６】
複数の前記脚部は、前記第１方向の一方側に位置する少なくとも１つの第１脚部と、前記第１方向の他方側に位置する少なくとも１つの第２脚部とから構成され、
１つの前記第２脚部と前記作業デスクの上面との接触面積は、１つの前記第１脚部と前記作業デスクの上面との接触面積よりも大きいことを特徴とする、請求項１〜５のいずれか一項に記載の作業台。
【請求項７】
前記天板の一部は、透明部材からなることを特徴とする、請求項１〜６のいずれか一項に記載の作業台。
【請求項８】
前記天板の下方に配置され、下方に向かって光を出射する光源を備えていることを特徴とする、請求項１〜７のいずれか一項に記載の作業台。
【請求項９】
請求項１〜７のいずれか一項に記載の作業台と、
前記作業台が載置可能な前記作業デスクと
を備えていることを特徴とする、デスクシステム。
【発明の詳細な説明】
【技術分野】
【０００１】
本発明は、作業台およびデスクシステムに関する。
【背景技術】
【０００２】
近年、椅子に座ったままの姿勢での長時間のデスクワークが増加する傾向にあるところ、健康の観点から、立ち姿勢でのデスクワークが可能となるように、天板の位置を従来の作業デスクよりも高い位置に設定したスタンディングデスクが普及してきている。
【０００３】
このようなスタンディングデスクとして、天板が昇降するように構成することで、座り姿勢と立ち姿勢とに切り替えることのできるデスクシステムが知られている（例えば、特許文献１参照）。
【先行技術文献】
【特許文献】
【０００４】
【特許文献１】特開２００９−０３０８１０
【発明の概要】
【発明が解決しようとする課題】
【０００５】
しかるに、上記した特許文献１のようなデスクシステムは、既存の作業デスクに代えて、新たに調達することになるため、コストがかかる。
【０００６】
そこで、既存の作業デスクの上に作業台を載せることで、簡易な構成で、立ち姿勢での作業を可能とする構成が検討される。このように、既存の作業デスクの上に作業台を載せて立ち姿勢での作業を可能にした場合であっても、作業デスクの上に作業台を載せたまま、立ち姿勢から座り姿勢に切り替えたいという要望がある。そのような場合には、作業台が視界の妨げとなり、座り姿勢での作業デスクでの作業がしにくくなる不具合がある。
【０００７】
そこで、本発明の目的は、ユーザが、作業デスク上に作業台を載置させた状態で座り姿勢をとったときに、作業デスク上で効率よく作業することのできる作業台およびそれを備えるデスクシステムを提供することにある。
【課題を解決するための手段】
【０００８】
本発明［１］の作業台は、椅子に着座した座り姿勢で上下方向と交差する第１方向の一方側から作業するための作業デスクに対して載置可能であり、椅子に着座せず起立した立ち姿勢で第１方向の一方側から作業するための作業台であって、第１方向と、上下方向および第１方向の両方と交差する第２方向とに延びる天板と、上下方向に延びる複数の脚部であって、作業デスクの上面に配置され、天板を支持する複数の脚部とを備え、天板は、第１方向の一方側の端縁から、第１方向の他方側に向かって凹む凹部を有する。
【０００９】
このような構成によれば、作業台を作業デスクに対して載置するという簡易な構成により、立ち姿勢での作業が可能となる。
【００１０】
そして、作業台の天板が第１方向の一方側の端縁から第１方向の他方側に向かって凹む凹部を備えているので、立ち姿勢から座り姿勢に切り替えて、作業デスクで作業する場合に、ユーザは、凹部を介して、作業デスク上を見ることができる。
【００１１】
そのため、ユーザは、作業デスク上に作業台が載置された状態でありながら、凹部を介して、作業デスクに対する広い視野を確保することができる。
【００１２】
その結果、ユーザは、作業デスク上に作業台を載置させた状態で座り姿勢をとったときに、作業デスク上で効率よく作業することができる。
【００１３】
本発明［２］では、凹部の縁部が、上端から下端に向かうにつれて、凹部から離れる方向に傾斜する上記［１］に記載の作業台を含んでいる。
【００１４】
このような構成によれば、天板の下面よりも上面の面積を大きく確保することができながら、凹部の縁部における下端が、視界の妨げとなりにくくなり、作業デスクに対する広い視野を確実に確保することができる。
【００１５】
本発明［３］では、天板の第１方向の一方側の端縁において、凹部の第２方向の寸法が、天板の第２方向の寸法１００％に対して、５０％から７０％である上記［１］または［２］に記載の作業台を含んでいる。
【００１６】
このような構成によれば、凹部の第２方向の寸法が上記した範囲であるので、ユーザは、立ち姿勢および座り姿勢の両方において、凹部を介して、第２方向において、作業デスクに対する広い視野を確保することができる。
【００１７】
本発明［４］では、凹部の面積が、天板の面積１００％に対して、５％から１０％である上記［１］〜［３］のいずれか一項に記載の作業台を含んでいる。
【００１８】
このような構成によれば、凹部の面積が上記した範囲であるので、作業台上で作業するための面積を十分に確保しつつ、作業デスクに対する広い視野を確保することができる。
【００１９】
本発明［５］では、凹部は、上下方向から見て、略円弧形状を有する上記［１］〜［４］のいずれか一項に記載の作業台を含んでいる。
【００２０】
このような構成によれば、凹部が略円弧形状を有するので、凹部が略矩形状を有する場合に比べて、凹部を介して作業デスク上を見たときに、急に視野が狭くなることを防止することができ、良好な視野を得ることができる。
【００２１】
本発明［６］では、複数の脚部が、第１方向の一方側に位置する少なくとも１つの第１脚部と、第１方向の他方側に位置する少なくとも１つの第２脚部とから構成され、１つの第２脚部と作業デスクの上面との接触面積が、１つの第１脚部と作業デスクの上面との接触面積よりも大きい上記［１］〜［５］のいずれか一項に記載の作業台を含んでいる。
【００２２】
このような構成によれば、第２脚部と作業デスクの上面との接触面積が、第１脚部と作業デスクの上面との接触面積よりも大きいので、第１方向の他方側において、作業台が作業デスクから落下しにくい。
【００２３】
そのため、ユーザが第１方向の一方側から作業台を押してしまい、第１方向の他方側において、作業台が作業デスクから作業台がはみ出た場合であっても、作業台を作業デスクに対して安定して載置することができる。
【００２４】
本発明［７］では、天板の一部が、透明部材からなる上記［１］〜［６］のいずれか一項に記載の作業台を含んでいる。
【００２５】
このような構成によれば、ユーザは、立ち姿勢において、凹部からだけでなく、透明部材を介して、天板の下方を見ることができる。
【００２６】
そのため、ユーザは、より一層広い視野を確保することができる。
【００２７】
本発明［８］は、天板の下方に配置され、下方に向かって光を出射する光源を備えている上記［１］〜［７］のいずれか一項に記載の作業台を含んでいる。
【００２８】
このような構成によれば、作業台が作業デスクの上に載置されていることよりできる作業デスク上の影を、光源が出射する光によって照らすことができる。
【００２９】
そのため、ユーザは、立ち姿勢および座り姿勢の両方において、作業デスクの上に作業台が載置された状態でありながら、作業デスクの上を確実に視認することができる。
【００３０】
本発明［８］は、上記［１］〜［７］のいずれか一項に記載の作業台と、作業台が載置可能な作業デスクとを備えるデスクシステムを含んでいる。
【００３１】
このような構成によれば、作業台を作業デスクに対して載置するという簡易な構成により、立ち姿勢での作業が可能となる。
【００３２】
そして、作業台の天板が第１方向の一方側の端縁から第１方向の他方側に向かって凹む凹部を備えているので、立ち姿勢から座り姿勢に切り替えて、作業デスクで作業する場合に、ユーザは、凹部を介して、作業デスク上を見ることができる。
【００３３】
そのため、ユーザは、作業デスク上に作業台を載置させた状態でありながら、凹部を介して、作業デスクに対する広い視野を確保することができる。
【００３４】
その結果、ユーザは、作業デスク上に作業台を載置させた状態で座り姿勢をとったときに、作業デスク上で効率よく作業することができる。
【発明の効果】
【００３５】
本発明の作業台およびデスクシステムでは、ユーザが、作業デスク上に作業台を載せた状態で座り姿勢をとったときに、作業デスク上で効率よく作業することができる。
【図面の簡単な説明】
【００３６】
【図１】図１は、本発明のデスクシステムの一実施形態を示す斜視図である。
【図２】図２は、図１に示す作業台の斜視図である。
【図３】図３は、図２に示す作業台の平面図である。
【図４】図４は、図２に示す作業台の正面図である。
【図５】図５は、図２に示す作業台の側面図である。
【図６】図６は、図３のＡ−Ａ断面図である。
【図７】図７は、図１に示すデスクシステムに対して、ユーザが立ち姿勢で作業する状態を示す側面図である。
【図８】図８は、図１に示すデスクシステムに対して、ユーザが座り姿勢で作業する状態を示す側面図である。
【図９】図９は、図１に示すデスクシステムにおいて、立ち姿勢および座り姿勢での視野の広さを示す平面図である。
【図１０】図１０は、図１に示す作業台に対して、ユーザがパソコン作業をしている状態を示す平面図である。
【図１１】図１１は、本発明のデスクシステムの変形例を示す斜視図である。
【発明を実施するための形態】
【００３７】
１．デスクシステム１００の構成
図１に示すように、デスクシステム１００は、作業デスク５０と、椅子６０と、作業台１とを備えている。
【００３８】
作業デスク５０としては、市販品が用いられる。作業デスク５０は、天板５２と、複数、すなわち２つの脚部５３とを備える。天板５２は、水平方向に延びている。つまり、天板５２は、前後方向および左右方向に延びている。１対の脚部５３は、天板５２の左右方向の両端部に位置し、天板５２を支持する。脚部５３は、前後方向および上下方向に延びる。なお、前後方向が第１方向の一例であり、左右方向が第２方向の一例である。前後方向は、上下方向と交差する。左右方向は、上下方向および前後方向の両方と交差する。上下方向において、天板５２の上面から地面までの寸法は、例えば、５５０ｍｍ以上、９５０ｍｍ以下である。
【００３９】
椅子６０としては、市販品が用いられる。上下方向において、椅子６０の座面から地面までの寸法は、例えば、２５０ｍｍ以上、５５０ｍｍ以下である。
【００４０】
１．１  作業台１の基本構成
作業台１は、作業デスク５０に対して載置可能である。
【００４１】
作業台１は、後述するガラス板１４および棚板３４以外は、木材またはプラスチック部材からなる。
【００４２】
作業台１の上下方向の寸法は、作業デスク５０の上下方向の寸法１００％に対して、３５％以上、５５％以下である。
【００４３】
具体的には、図５に示すように、作業台１の上下方向の寸法Ｈは、例えば、２００ｍｍ以上、４００ｍｍ以下である。
【００４４】
作業台１は、図１に示すように、天板３と、複数、すなわち４つの脚部４とを備える。
【００４５】
天板３は、作業台１の上端部に位置する。天板３は、作業デスク５０の天板５２の上面から、上方に間隔を隔てて位置する。天板３は、作業デスク５０の天板５２と平行に延びる。天板３は、水平方向に延びている。つまり、天板３は、前後方向および左右方向に延びている。平面視において、天板３は、作業デスク５０の天板５２よりも小さい。
【００４６】
４つの脚部４は、図２に示すように、１対の第１脚部１０と、１対の第２脚部１１とから構成されている。
【００４７】
１対の第１脚部１０は、左右方向に互いに間隔を隔てて配置されている。１対の第１脚部１０のそれぞれは、互いに同じ構成を有する。第１脚部１０は、左右方向から見て、略Ｌ字状を有する。第１脚部１０は、天板３の左右方向の両端面に沿って前後方向に延びる側板部１９と、側板部１９の前端部から下方に向かって延びる立設部２０と、作業台１の高さ調整用のアジャストボルト２１とを備える。側板部１９の上端部には、後述するガラス板１４が嵌まる段差部２２が形成されている。立設部２０は、左右方向から見て、上方から下方に向かうにつれて、幅狭となる略三角形状を有する。具体的には、立設部２０の後面は、上方から下方に向かうにつれて、前方へ傾斜している。アジャストボルト２１は、立設部２０の下端部に螺合されている。１対の第１脚部１０は、天板３の前端部を支持する。
【００４８】
１対の第２脚部１１は、左右方向に互いに間隔を隔てて配置されている。１対の第２脚部１１のそれぞれは、互いに同じ構成を有する。１対の第２脚部１１は、天板３の後端部に位置する。第２脚部１１は、上下方向に延びる。第２脚部１１は、天板３から下方に向かって延びる筒部２３と、筒部２３に対して下方から嵌まる土台部２４とを備える。さらに、第２脚部１１は、図６に示すように、固定具３２によって筒部２３に対して固定されるナット３１と、ナット３１に対して螺合されるアジャストボルト２５とを備える。アジャストボルト２５は、土台部２４に対する筒部２３の上下方向の位置を調整可能である。図１に示すように、１対の第２脚部１１は、天板３の後端部を支持する。第２脚部１１の筒部２３には、ペンやハサミなどの筆記用具を収容することができる。
【００４９】
このように、４つの脚部４は、上下方向に延び、作業デスク５０の上面に配置され、天板３を支持する。なお、図５に示すように、第２脚部１１と作業デスク５０の天板５２の上面との接触面積は、第１脚部１０と作業デスク５０の天板５２の上面との接触面積よりも大きい。
【００５０】
２．天板３の詳細
天板３は、上記したように、作業台１が作業デスク５０に載置された状態で、作業デスク５０の天板５２の上面から上方に間隔を隔てて位置する。天板３は、図２および図３に示すように、水平方向に延びる。天板３は、平面視において、左右方向に延びる略矩形状を有する。
【００５１】
天板３の前後方向の寸法Ｄ１は、例えば、５００ｍｍ以上、７００ｍｍ以下である。
【００５２】
また、天板３の左右方向の寸法Ｗ１（詳しくは、後述するガラス板１４を除く第１板１５および第２板１６の寸法）は、例えば、６５０ｍｍ以上、８５０ｍｍ以下である。
【００５３】
なお、図５に示すように、天板３の前後方向の寸法Ｄ１は、作業台１の上下方向の寸法Ｈに対して、例えば、１７５％以上、２２５％以下である。
【００５４】
天板３は、図２および図３に示すように、第１板１５と、第２板１６と、透明部材の一例としてのガラス板１４とを備える。また、天板３は、凹部７を有する。
【００５５】
第１板１５と第２板１６とは、前後方向に互いに間隔を隔てて位置する。
【００５６】
第１板１５は、天板３の前端部に位置する。第１板１５は、平面視において、左右方向に延びる略矩形状を有する。凹部７は、第１板１５に設けられる。
【００５７】
凹部７は、第１板１５の左右方向の略中央に位置する。凹部７は、第１板１５の前端縁から、後方に向かって凹む。言い換えると、凹部７は、天板３の前端縁から、後方に向かって凹む。凹部７は、上方から見て、略円弧形状を有する。
【００５８】
凹部７の縁部は、図４および図５に示すように、上端から下端に向かうにつれて、凹部７から離れる方向に傾斜している。凹部７の縁部における傾斜部分を、傾斜面８とする。傾斜面８は、凹部７の縁部全面にわたって、天板３の上面に対して、同じ角度を有する。天板３の上面に対する傾斜面８の角度θは、例えば、３５°以上、５５°以下である。
【００５９】
図３に示すように、上方から見たときに、凹部７の前端から後方へ向かう最深部までの寸法は、天板３の前後方向の寸法１００％に対して、例えば、１８％以上、２５％以下である。
【００６０】
具体的には、上方から見たときに、凹部７の前端から後方へ向かう最深部までの寸法Ｄ２は、例えば、１００ｍｍ以上、１５０ｍｍ以下である。
【００６１】
上方から見たときに、天板３の前端縁において、凹部７の左右方向の寸法は、天板３の左右方向の寸法１００％に対して、５０％以上、７０％以下である。具体的には、上方から見たときに、凹部７の左右方向の寸法Ｗ２は、例えば、３６０ｍｍ以上、５００ｍｍ以下である。
【００６２】
また、平面視において、凹部７の面積は、天板３の上面の面積１００％に対して、５％以上、１０％以下である。
【００６３】
なお、凹部７が傾斜面８を有していることにより、天板３の上面の面積は、天板３の下面の面積よりも大きい。
【００６４】
また、第１板１５の後端部には、ガラス板１４が嵌まる段差部１７が形成されている。
【００６５】
第２板１６は、図２および図３に示すように、天板３の後端部に位置する。第２板１６は、平面視において、左右方向に延びる略矩形状を有する。第２板１６の後端部における左右方向の両端部は、１対の第２脚部１１の左右方向の内側半分が配置可能となるように、窪んでいる。
【００６６】
ガラス板１４は、天板３において、第１板１５と第２板１６との間に位置する。言い換えると、天板３の一部は、ガラス板１４からなる。
【００６７】
左右方向において、ガラス板１４の寸法は、第１板１５および第２板１６の寸法よりも長い。ガラス板１４の左右方向の両端部は、１対の第１脚部１０の段差部２２に嵌まり、支持される。また、ガラス板１４の前端部は、第１板１５の段差部１７に嵌まり、支持される。
【００６８】
このように、ガラス板１４は、作業台１において、１対の第１脚部１０および第１板１５によって支持されることにより、ボルト止めや、接着剤などを使用することなく、組み付けられる。
【００６９】
上方から見て、凹部７の後方へ向かう最深部からガラス板１４の前端部までの寸法は、例えば、４０ｍｍ以上、１００ｍｍ以下である。
【００７０】
ガラス板１４の前後方向の寸法は、天板３の前後方向の寸法１００％に対して、例えば、３５％以上、５０％以下である。
【００７１】
具体的には、ガラス板１４の前後方向の寸法は、例えば、２００ｍｍ以上、３００ｍｍ以下である。
【００７２】
また、ガラス板１４の左右方向の寸法は、例えば、６８０ｍｍ以上、８８０ｍｍ以下である。
【００７３】
３．作業台１の付属の構成
作業台１は、図２および図４に示すように、さらに、棚板３４と、光源の一例としてのＬＥＤ３５とを備える。
【００７４】
棚板３４は、ガラス板などの透明部材からなる。棚板３４は、天板３の下方に位置する。棚板３４は、１対の第１脚部１０の側板部１９の下端部間に位置する。棚板３４は、複数のコ字状のチャンネル部材３６によって支持される。複数のコ字状のチャンネル部材３６は、１対の第１脚部１０の側板部１９に対してボルト止めなどにより固定されている。棚板３４は、天板３の下方に間隔を隔てて位置する。棚板３４は、上下方向に投影したときに、ガラス板１４と重なる。
【００７５】
ＬＥＤ３５は、天板３の下方に配置される。具体的には、ＬＥＤ３５は、天板３の前左端部の下面に固定されている。ＬＥＤ３５は、左方の第１脚部１０よりも、右方に位置する。ＬＥＤ３５は、下方に向かって光を照射する。これにより、ＬＥＤ３５は、作業デスク５０の上面を照らす。
【００７６】
４．作業台１の使用状態
図７および図８に示すように、作業台１が作業デスク５０に載置された状態において、ユーザは、立ち姿勢または座り姿勢で作業可能である。
【００７７】
作業デスク５０に載置された作業台１の天板３は、座り姿勢を取るユーザの頭部よりも下方に位置するように設定されている。具体的には、上下方向において、地面から作業台１の天板３の上面までの寸法は、８８０ｍｍ以上、１１６０ｍｍ以下である。
【００７８】
ユーザは、作業デスク５０の上面に作業台１が載置されていることにより、図７に示すように、椅子６０に着座せず起立した立ち姿勢で、作業デスク５０に載置される作業台１に対して、前方から作業することができる。
【００７９】
具体的には、ユーザは、立ち姿勢のときに、腕を作業台１の天板３の上に載せて、作業可能である。ユーザは、立ち姿勢のときに、天板３よりも上方から、天板３の上面を目視することができる。
【００８０】
また、ユーザは、図７および図９に示すように、立ち姿勢のときに、凹部７を介して、作業デスク５０の天板５２を目視することができる。立ち姿勢のユーザが天板５２を目視可能な範囲を、立ち姿勢目視可能範囲Ｓ１とする。具体的には、立ち姿勢目視可能範囲Ｓ１は、ユーザを中心とする略円弧形状である。前後方向において、立ち姿勢目視可能範囲Ｓ１は、最大で、天板５２の略中央である。
【００８１】
また、ユーザは、図８に示すように、作業デスク５０に対して、椅子６０に着座した座り姿勢で、前方から作業することができる。
【００８２】
具体的には、ユーザは、座り姿勢のときに、腕を作業デスク５０の天板５２の上に載せて、作業可能である。座り姿勢のときに、ユーザの頭部は、作業台１の天板３よりも上方に位置する。ユーザは、座り姿勢であっても、天板３の上面を目視することができる。
【００８３】
また、ユーザは、図８および図９に示すように、座り姿勢のときに、凹部７を介して、作業デスク５０の天板５２を目視することができる。座り姿勢のユーザが天板５２を目視可能な範囲を、座り姿勢目視可能範囲Ｓ２とする。具体的には、座り姿勢目視可能範囲Ｓ２は、ユーザを中心とする略円弧形状である。前後方向において、座り姿勢目視可能範囲Ｓ２は、最大で、天板５２の後端部である。座り姿勢目視可能範囲Ｓ２は、立ち姿勢目視可能範囲Ｓ１よりも広範囲である。
【００８４】
５．作用効果
（１）この作業台１によれば、図７に示すように、作業台１を作業デスク５０に対して載置するという簡易な構成により、立ち姿勢での作業が可能となる。
【００８５】
そして、作業台１の天板３が前端縁から後方に向かって凹む凹部７を備えているので、図８に示すように、立ち姿勢から座り姿勢に切り替えて、作業デスク５０で作業する場合に、ユーザは、凹部７を介して、作業デスク５０上を見ることができる。
【００８６】
そのため、ユーザは、作業デスク５０上に作業台１が載置された状態でありながら、凹部７を介して、作業デスク５０に対する広い視野を確保することができる。
【００８７】
その結果、ユーザは、作業デスク５０上に作業台１を載置させた状態で座り姿勢をとったときに、作業デスク５０上で効率よく作業することができる。
【００８８】
（２）この作業台１によれば、図３および図８に示すように、凹部７が傾斜面８を有していることにより、天板３の下面よりも上面の面積を大きく確保することができながら、凹部７の縁部における下端が、視界の妨げとなりにくくなり、作業デスク５０に対する広い視野を確実に確保することができる。
【００８９】
（３）この作業台１によれば、図３に示すように、天板３の前端縁において、凹部７の左右方向の寸法が、天板３の左右方向の寸法１００％に対して、５０％から７０％であるので、ユーザは、立ち姿勢および座り姿勢の両方において、凹部７を介して、左右方向において、作業デスク５０に対する広い視野を確保することができる。
【００９０】
（４）この作業台１によれば、図３に示すように、凹部７の面積が、天板３の上面の面積１００％に対して、５％から１０％であるので、作業台１上で作業するための面積を十分に確保しつつ、作業デスク５０に対する広い視野を確保することができる。
【００９１】
（５）この作業台１によれば、図３に示すように、凹部７が略円弧形状を有するので、凹部７が略矩形状を有する場合に比べて、凹部７を介して作業デスク５０上を見たときに、急に視野が狭くなることを防止することができ、良好な視野を得ることができる。
【００９２】
（６）この作業台１によれば、図７および図８に示すように、第２脚部１１と作業デスク５０の上面との接触面積が、第１脚部１０と作業デスク５０の上面との接触面積よりも大きいので、後方において、作業台１が作業デスク５０から落下しにくい。
【００９３】
そのため、ユーザが前方から作業台１を押してしまい、後方において、作業台１が作業デスク５０から作業台１がはみ出た場合であっても、作業台１を作業デスク５０に対して安定して載置することができる。
【００９４】
（７）この作業台１によれば、図７に示すように、ユーザは、立ち姿勢において、凹部７からだけでなく、ガラス板１４を介して、天板３の下方を見ることができる。
【００９５】
そのため、ユーザは、より一層広い視野を確保することができる。
【００９６】
（８）この作業台１によれば、図４に示すように、作業台１が作業デスク５０の上に載置されていることよりできる作業デスク５０上の影を、光源が出射する光によって照らすことができる。
【００９７】
そのため、ユーザは、立ち姿勢および座り姿勢の両方において、作業デスク５０の上に作業台１が載置された状態でありながら、作業デスク５０の上を確実に視認することができる。
【００９８】
（９）このデスクシステム１００によれば、図７に示すように、作業台１を作業デスク５０に対して載置するという簡易な構成により、立ち姿勢での作業が可能となる。
【００９９】
そして、作業台１の天板３が前端縁から後方に向かって凹む凹部７を備えているので、図８に示すように、立ち姿勢から座り姿勢に切り替えて、作業デスク５０で作業する場合に、ユーザは、凹部７を介して、作業デスク５０上を見ることができる。
【０１００】
そのため、ユーザは、作業デスク５０上に作業台１を載置させた状態でありながら、凹部７を介して、作業デスク５０に対する広い視野を確保することができる。
【０１０１】
その結果、ユーザは、作業デスク５０上に作業台１を載置させた状態で座り姿勢をとったときに、作業デスク５０上で効率よく作業することができる。
【０１０２】
（１０）この作業台１によれば、図５に示すように、第１脚部１０において、立設部２０が下方に向かうにつれて幅狭となっているので、ユーザが作業デスク５０の上面を見るときに、より確実に広い視野を確保することができる。
【０１０３】
（１１）この作業台１によれば、棚板３４がガラス板などの透明部材からなるので、ユーザは、立ち姿勢において、天板３の上方から、ガラス板１４を介して下方を見るときに、棚板３４を介して、作業デスク５０の上面を見ることができる。
【０１０４】
（１２）この作業台１によれば、図１０に示すように、作業台１上でパソコン作業をする場合に、凹部７を跨ぐように、第１板１５に対してキーボードを載置し、第２板１６に対してモニターを載置することができる。
【０１０５】
このように、キーボードが第１板１５に載置され、モニターが第２板１６に載置されることにより、ユーザは、ガラス板１４を介して、棚板３４上に置いた資料や本などを見ながら、作業することができる。
【０１０６】
また、凹部７から作業デスク５０の天板５２を見る必要がない場合には、第１板１５に対して、アクリル板などからなる下敷きを配置することで、凹部７の上で作業することもできる。このように用いられる下敷きは、棚板３４に収容することができる。
【０１０７】
（１３）このデスクシステム１００によれば、図７および図８に示すように、ユーザは、立ち姿勢と座り姿勢とに切り替えて作業することができるので、作業デスク５０の上面と、作業台１の天板３の上面とで、異なる作業をすることができる。
【０１０８】
そのため、ユーザは、異なる作業を同時に進行させることができる。
【０１０９】
６．変形例
上記した実施形態では、天板３は、図１に示すように、１対の第１脚部１０および１対の第２脚部１１に挟まれるようにして支持されている。対して、天板３は、図１１に示すように、１対の第１脚部１０および１対の第２脚部１１の上端部に載置されるようにして支持されていてもよい。この場合、天板３は、１枚の平板からなり、ガラス板１４は、天板３の平面視中央に形成される窪みに配置される。
【０１１０】
また、脚部４は、１対の第１脚部１０と、１対の第２脚部１１とから構成されているが、第２脚部１１の数は、特に限定されない。例えば、第２脚部１１は、左右方向の略中央に１つだけ設けられていてもよい。また、第２脚部１１は、左右方向に互いに間隔を隔てて３つ以上設けられていてもよい。
【０１１１】
また、脚部４は、第２脚部１１のみから構成されていてもよい。この場合、第２脚部１１は、作業デスク５０に対して、固定される。これにより、第１脚部１０を設ける必要がなく、ユーザは、作業デスク５０に対して、より広い視野を確保することができる。
【０１１２】
また、棚板３４は、ガラス板などの透明部材でなく、木材またはプラスチック部材からなってもよい。
【０１１３】
また、天板３の形状は、矩形状に限定されず、略楕円形状や、略三角形状であってもよい。
【符号の説明】
【０１１４】
１      作業台
３      天板
４      脚部
７      凹部
１０    第１脚部
１１    第２脚部
１４    ガラス板
３５    ＬＥＤ
５０    作業デスク
１００  デスクシステム
【図１】
2018015317.tif 000003
【図２】
2018015317.tif 000004
【図３】
2018015317.tif 000005
【図４】
2018015317.tif 000006
【図５】
2018015317.tif 000007
【図６】
2018015317.tif 000008
【図７】
2018015317.tif 000009
【図８】
2018015317.tif 000010
【図９】
2018015317.tif 000011
【図１０】
2018015317.tif 000012
【図１１】
2018015317.tif 000013